(57)【要約】      （修正有）【課題】ガードの取付手段によって反射板の光反射機能が損なわれることがなく、ガードの取付・取外しが簡単な照明器具を提供する。【解決手段】照明器具1は、器具本体2と、器具本体の左右両側に配置される側壁32を有する反射板3と、縦線材41,41aおよび横線材42,42aを格子状に接合してなるガードとを備える。反射板の左右各側壁の下縁部を外面側に折り返すことにより、ガードの左右各端に位置する縦線材41が掛け止められる掛止部321を形成し、掛止部にガードの横線材42を通すためのスリットを形成する。ガードの左右各端の縦線材を上方から押さえて掛止部から外れるのを阻止するストッパ6を、反射板の左右側壁外面に接合した取付ベース5に着脱自在に取り付ける。【選択図】図１
0003137718.tif 000002
【実用新案登録請求の範囲】
【請求項１】
直管形蛍光ランプ(L)を前後方向に保持するソケット(21)を有する器具本体(2)と、器具本体(2)に取り付けられかつ器具本体(2)の左右両側に配置される垂下状の側壁(32)を有する反射板(3)と、前後方向にのびる複数の縦線材(41)(41a)および左右方向にのびる複数の横線材(42)(42a)を格子状に接合してなりかつ器具本体(2)の下方に配置されるガード(4)とを備えている照明器具において、
反射板(3)の左右各側壁(32)が、これらの下縁部を外面側に向かって折り返すことにより形成されかつガード(4)の左右各端に位置する縦線材(41)が掛け止められる掛止部(321)を有しているとともに、掛止部(321)に、ガード(4)の横線材(42)を通すためのスリット(322)が形成されていることを特徴とする、照明器具。
【請求項２】
ガード(4)の左右各端に位置する縦線材(41)を上方から押さえて掛止部(321)から外れるのを阻止するストッパ(6)が、反射板(3)における左右各側壁(32)の外面に接合された取付ベース(5)に、着脱自在に取り付けられていることを特徴とする、請求項１記載の照明器具。
【請求項３】
取付ベース(5)が、反射板(3)の左右各側壁(32)外面におけるガード(4)の横線材(42)と対応する箇所に接合されていることを特徴とする、請求項２記載の照明器具。
【請求項４】
取付ベース(5)が、反射板(3)における左右各側壁(32)の外面に重ねられて接合される左右一対の平板部(51)と、両平板部(51)どうしの間に略コ字形に形成されかつ頂壁(521)にねじ孔(53)があけられた曲板部(52)とよりなり、
ストッパ(6)が、反射板(3)における左右各側壁(32)の外面に重ねられかつガード(4)の左右各端に位置する縦線材(41)に当接する押さえ部(611)を下端に有する平板部(61)と、平板部(61)の上端に連なって取付ベース(5)の曲板部(52)の上に被せられるように略Ｌ字形または略コ字形に形成されかつねじ孔(53)に合致するねじ挿通孔(63)が頂壁(621)にあけられている曲板部(62)とよりなり、
ストッパ(6)のねじ挿通孔(63)を通して取付ベース(5)のねじ孔(53)にねじ込まれたビス(7A)(7B)により、ストッパ(6)が取付ベース(5)に着脱自在に取り付けられており、
ガード(4)の左右いずれか一端の縦線材(41)を上方から押さえるストッパ(6)を取り付けるためのビス(7B)は、回動操作用摘み部(72)を頭部に有していることを特徴とする、請求項２または３記載の照明器具。
【請求項５】
ガード(4)の左右いずれか一端の縦線材(41)を上方から押さえるストッパ(6a)が、曲板部(62)の頂壁(621)から前後いずれか一方に向かって延長状に突出した突出壁(622)を有しているとともに、該ストッパ(6)のねじ挿通孔(63a)が、頂壁(621)から延長壁(622)にかけて前後方向にのびる長孔よりなることを特徴とする、請求項４記載の照明器具。
【考案の詳細な説明】
【技術分野】
【０００１】
この考案は、照明器具に関し、より詳細には、例えば、自転車置き場や発火性を有する危険物がある場所の天井等に設置される照明器具であって、地震等による蛍光ランプの落下・破損を防止するためのガードを備えているものに関する。
【背景技術】
【０００２】
この種の照明器具として、直管形蛍光ランプを前後方向に保持するソケットを有する器具本体と、器具本体に取り付けられかつ器具本体の左右両側に配置される垂下状の側壁を有する反射板と、前後方向にのびる複数の縦線材および左右方向にのびる複数の横線材を格子状に接合してなりかつ器具本体の下方に配置されるガードとを備えたものが従来より知られている。ガードは、反射板の内面に固定された取付金具によって、反射板に取り付けられている（例えば下記特許文献１参照）。
【０００３】
しかしながら、従来の照明器具の場合、反射板の内面に取付金具が固定されるため、これらの取付器具によって反射板の光反射機能が損なわれるおそれがあり、また、反射板のの内面側の狭い空間でガードの取付・取外しを行う必要があるため、作業性が良くなかった。
【特許文献１】実開昭４９−１２６７８２号公報
【考案の開示】
【０００４】
この考案の目的は、ガードの取付手段によって反射板の光反射機能が損なわれることがなく、ガードの取付・取外しを簡単に行うことができる照明器具を提供することにある。
【０００５】
この考案による照明器具は、直管形蛍光ランプを前後方向に保持するソケットを有する器具本体と、器具本体に取り付けられかつ器具本体の左右両側に配置される垂下状の側壁を有する反射板と、前後方向にのびる複数の縦線材および左右方向にのびる複数の横線材を格子状に接合してなりかつ器具本体の下方に配置されるガードとを備えているものであって、反射板の左右各側壁が、これらの下縁部を外面側に向かって折り返すことにより形成されかつガードの左右各端に位置する縦線材が掛け止められる掛止部を有しているとともに、掛止部に、ガードの横線材を通すためのスリットが形成されていることを特徴としている。
【０００６】
この考案の照明器具によれば、反射板における左右各側壁の下縁部を外面側に折り返すことにより形成された掛止部によってガードが取り付けられるため、従来技術のように反射板の内面に取付金具を固定する必要がなく、反射板の光反射機能が全く損なわれない。また、この考案の照明器具によれば、掛止部が反射板における左右側壁の外面側に位置しており、ガードの取付に際しては、掛止部のスリットに横線材を通すようにしながら、左右各端に位置する縦線材を掛止部に掛け止めるだけでよく、また、ガードを取り外す際にはこれと逆の操作を行えばよいので、ガードの取付・取外し作業が簡単である。
【０００７】
この考案の照明器具における好ましい態様では、ガードの左右各端に位置する縦線材を上方から押さえて掛止部から外れるのを阻止するストッパが、反射板における左右各側壁の外面に接合された取付ベースに、着脱自在に取り付けられている。
【０００８】
上記の態様によれば、ガードが反射板から外れるのをストッパによって確実に防止することができるので安全性が向上する。しかも、ストッパは、反射板における左右各側壁の外面に接合された取付ベースに取り付けられるため、反射板の左右各側壁の内面に影響を及ぼすことがなく、反射板の光反射機能は損なれない。
【０００９】
上記の態様において、取付ベースは、好適には、反射板の左右各側壁外面におけるガードの横線材と対応する箇所に接合されている。
【００１０】
取付ベースを上記箇所に配置すれば、これに取り付けられるストッパが、ガードの縦線材のうち横線材と交差する曲げ強度の大きい部分を上方から押さえることになるので、使用に伴う縦線材の変形や破損を防止することができる。
【００１１】
この考案による上記態様の照明器具において、取付ベースが、反射板における左右各側壁の外面に重ねられて接合される左右一対の平板部と、両平板部どうしの間に略コ字形に形成されかつ頂壁にねじ孔があけられた曲板部とよりなり、ストッパが、反射板における左右各側壁の外面に重ねられかつガードの左右各端に位置する縦線材に当接する押さえ部を下端に有する平板部と、平板部の上端に連なって取付ベースの曲板部の上に被せられるように略Ｌ字形または略コ字形に形成されかつねじ孔に合致するねじ挿通孔が頂壁にあけられている曲板部とよりなり、ストッパのねじ挿通孔を通して取付ベースのねじ孔にねじ込まれたビスにより、ストッパが取付ベースに着脱自在に取り付けられており、ガードの左右いずれか一端の縦線材を上方から押さえるストッパを取り付けるためのビスは、回動操作用摘み部を頭部に有している場合がある。
【００１２】
上記の場合、取付ベースおよびストッパを、例えば、金属板に折り曲げ加工を施すことによって簡単に製造することができるので、コストが抑えられる。また、ストッパの固定をビスによって行うため、その作業が簡単であり、特に、ガードの左右いずれか一端の縦線材を押さえるストッパ用のビスに回動操作用摘み部を設けたので、蛍光ランプの交換等の際には、特に道具を用いることなく同一端の縦線材のみを掛止部から外して、ガードを扉状に開閉することができ、きわめて使い勝手がよい。
【００１３】
また、上記の場合において、ガードの左右いずれか一端の縦線材を上方から押さえるストッパが、曲板部の頂壁から前後いずれか一方に向かって延長状に突出した突出壁を有しているとともに、該ストッパのねじ挿通孔が、頂壁から延長壁にかけて前後方向にのびる長孔よりなる構成としてもよい。
【００１４】
上記の構成によれば、ビスをストッパが動く程度まで緩めれば、同ストッパを、ねじ挿通孔に沿って前後方向に移動させながら、押さえ部が反射板の掛止部から外に出るように上方に回転移動させることができ、その状態で縦線材を掛止部から外すことができる。従って、上記の構成によれば、ビスをいちいち外さなくても、ガードの開閉を行うことができるため、さらに使い勝手が向上する。
【考案を実施するための最良の形態】
【００１５】
次に、図１〜４を参照して、この考案の実施形態を説明する。なお、以下の説明において、「上下」および「左右」は、図１の上下および左右をいい、また、「前」は図２、４の各左をいい、「後」は同右をいうものとする。
【００１６】
図１〜３は、この考案の第１の実施形態を示すものである。この実施形態の照明器具(1)は、器具本体(2)と、器具本体(2)に取り付けられる反射板(3)と、器具本体(2)の下方に配置されるガード(4)とを備えている。
【００１７】
器具本体(2)は、左右２本の直管形蛍光ランプ(L)を前後方向に保持する２対のソケット(21)を備えている。器具本体(2)は、取付金具（図示略）によって天井や梁等に直接取り付けられるか、あるいは、吊下金具（図示略）によって天井や梁等に吊り下げられる。
【００１８】
反射板(3)は、金属製であって、器具本体(2)の上面に取り付けられる水平な上壁(31)と、上壁(31)の左右両縁から外方に向かって斜め下方にのびかつ器具本体(2)の左右両側に配置される垂下状の側壁(32)とよりなる。なお、左右側壁は、垂直下方にのびるように形成される場合もある。また、この実施形態では、左右側壁(32)は、平板状となされているが、外方に膨らんだ湾曲板状とすることも可能である。
【００１９】
ガード(4)は、前後方向にのびる複数の金属製縦線材(41)(41a)と、左右方向にのびる複数の金属製横線材(42)(42a)とを格子状に溶接してなる。
横線材(42)は、その長さ中間部が下方凸状に湾曲させられているとともに、左右両端部が垂直上向きに折り曲げられている。左右両端に位置する２本の縦線材(41)は直線状であるが、中間に位置する複数本の縦線材(41a)は、左右両端の縦線材(41)よりも前後にやや長くかつ前後両端部が上方に折り曲げられている。また、中間に位置する縦線材(41a)の前後各端どうしをつなぐ前後両端の横線材(42a)は、他の横線材(42)と違って、直線状となされている。
【００２０】
反射板(3)の左右各側壁(32)は、これらの下縁部を外面側に向かって折り返すことにより形成された断面略Ｖ形の掛止部(321)を有しており、この掛止部(321)に、ガード(4)の左右各端に位置する縦線材(41)が掛け止められている。掛止部(321)には、ガード(4)の横線材(42)を通すためのスリット(322)が形成されている。
【００２１】
反射板(3)における左右各側壁(32)の外面には、前後方向に間隔をおいて２つの金属製取付ベース(5)が溶接されている。より具体的に言うと、取付ベース(5)は、左右各側壁(32)の外面におけるガード(4)の横線材(42)と対応する前後２箇所に溶接されている。そして、これらの取付ベース(5)に、ガード(4)の左右各端に位置する縦線材(41)を上方から押さえて掛止部(321)から外れるのを阻止するストッパ(6)が、着脱自在に取り付けられている。
【００２２】
取付ベース(5)は、反射板(3)の左右各側壁(32)外面に重ねられて溶接される左右一対の平板部(51)と、両平板部(51)どうしの間に略コ字形に形成されかつ頂壁(521)にねじ孔(53)があけられた曲板部(52)とよりなる。
【００２３】
ストッパ(6)は、金属製であって、反射板(3)の左右各側壁(32)外面に重ねられかつガード(4)の左右各端に位置する縦線材(41)に当接する押さえ部(611)を下端に有する平板部(61)と、平板部(61)の上端に連なって取付ベース(5)の曲板部(52)の上に覆い被せられるように略コ字形に形成されかつねじ孔(53)に合致するねじ挿通孔(63)が頂壁(621)にあけられている曲板部(62)とよりなる。押さえ部(611)は、平板部(61)の下端を外方に向かってほぼ直角に折り曲げることにより形成されている。なお、ストッパ(6)の曲板部は、取付ベース(5)の曲板部(52)の下部から頂壁(521)までを覆うが曲板部(52)の上部までは達しない、断面略Ｌ形のものであってもよい。
【００２４】
各ストッパ(6)は、ねじ挿通孔(63)を通して取付ベース(5)のねじ孔(53)にねじ込まれたビス(7A)(7B)により、取付ベース(5)に着脱自在に取り付けられている。
ガード(4)の左端の縦線材(41)を押さえる左側のストッパ(6)を取り付けるためのビス(7A)としては、一般的なものが用いられ、その頭部(71)に設けられたプラス溝やマイナス溝等（図示略）を利用してドライバー等の回動工具により回動させられる。
一方、ガード(4)の右端の縦線材(41)を押さえる右側のストッパ(6)を取り付けるためのビス(7B)は、回動操作用摘み部(72)を頭部に有している。摘み部(72)は、合成樹脂製であって、略円錐台形状をなし、その周壁には手指で摘む際の滑りを防止するためのセレーション(721)が形成されている。
【００２５】
上記の照明器具(1)において、ガード(4)を取り付ける場合、まず、ビス(7A)(7B)を緩めて各取付ベース(5)からストッパ(6)を外しておく。
そして、掛止部(321)のスリット(322)に横線材(42)を通すようにしながら、左右各端の縦線材(41)を掛止部(321)に掛け止める。
次に、各取付ベース(5)にストッパ(6)をビス(7A)(7B)で取り付けることにより、ストッパ(6)の押さえ部(611)が縦線材(41)を上から押さえ、それによってガード(4)が掛止部(321)から容易に外れないようになる。
こうして、反射板(3)にガード(4)が取り付けられ、この状態で照明器具(1)が使用される。
従って、この実施形態の照明器具(1)によれば、ガード(4)の取付に伴って反射板(3)の光反射機能が損なわれることが全くない。
【００２６】
また、上記の照明器具(1)において、蛍光ランプ(L)を交換する場合には、右端の縦線材(41)用のストッパ(6)を固定しているビス(7B)の摘み部(72)を手指で回してビス(7B)を緩め、ストッパ(6)を取付ベース(5)から取り外し、縦線材(41)を掛止部(321)から外す。そうすると、ガード(4)は、反射板(3)の左側壁(32)の掛止部(321)に掛け止められている左端の縦線材(41)を中心として扉のように開閉可能となるので、ガード(4)を下側に開き、この状態で蛍光ランプ(L)の取替作業を行えばよい。取替作業が終了したら、上記と逆の操作を行い、再びガード(4)を反射板(3)に取り付ける。
以上の通り、この実施形態の照明器具(1)によれば、蛍光ランプ(L)の取替作業もきわめて簡単に行うことができ、便利である。
【００２７】
図４は、この考案の第２の実施形態を示すものである。この実施形態の照明器具(1a)は、以下の点を除いて、図１〜３に示す第１の実施形態の照明器具(1)と同じである。
即ち、図４の照明器具(1a)にあっては、ガード(4)の右端の縦線材(41)を上方から押さえる前後２つのストッパ(6a)が、曲板部(62)の頂壁(621)から前方に向かって延長状に突出した突出壁(622)を有しているとともに、該ストッパ(6a)のねじ挿通孔が、頂壁(621)から延長壁(622)にかけて前後方向にのびる長孔(63a)よりなる。
【００２８】
上記の照明器具(1a)においては、ビス(7B)をストッパ(6a)が動く程度に少し緩めれば、図４に２点鎖線で示すように、同ストッパ(6a)を、ねじ挿通孔(63a)に沿って後方に移動させながら、押さえ部(611)が反射板(3)の掛止部(321)から外に出るように上方に回転移動させることができる。そして、この状態で、縦線材(41)を掛止部(321)から外し、ガード(4)を下側に開いて、蛍光ランプ(L)の取替作業を行うことができる。作業終了後は、上記と逆の操作を行って、再びガード(4)を反射板(3)に取り付ければよい。
従って、この実施形態の照明器具(1a)によれば、ビス(7B)をいちいちストッパ(6a)および取付ベース(5)から外さなくても、ガード(4)を開いて蛍光ランプ(L)の取替作業等を行うことができるため、きわめて使い勝手が良い。
【００２９】
なお、上記２つの実施形態はあくまでも例示にすぎず、この考案の要旨を変更しない範囲で適宜に変更を加えた上で実施することも勿論可能である。
例えば、上記２つの実施形態では、反射板(3)における左側壁(32)の掛止部(321)に掛け止められた縦線材(41)を、取付ベース(5)に取り付けたストッパ(6)で上方から押さえるようにしているが、これに代えて、縦線材(41)が掛け止められた状態の掛止部(321)の先端部を左側壁(32)外面に当接または近接するように内側に折り曲げることによって、縦線材(41)が掛止部(321)から抜け落ちないようにしてもよい。
【図面の簡単な説明】
【００３０】
【図１】この考案の第１の実施形態を示すものであって、照明器具の正面図である。
【図２】図１の照明器具を中間省略して示す側面図である。
【図３】図１の照明器具を分解して示す斜視図である。
【図４】この考案の第２の実施形態を示すものであって、照明器具の部分拡大側面図である。
【符号の説明】
【００３１】
(1)(1a)：照明器具
(2)：器具本体
(21)：ソケット
(L)：直管形蛍光ランプ
(3)：反射板
(32)：左右側壁
(321)：掛止部
(322)：スリット
(4)：ガード
(41)(41a)：縦線材
(42)(42a)：横線材
(5)：取付ベース
(51)：平板部
(52)：曲板部
(521)：頂壁
(53)：ねじ孔
(6)(6a)：ストッパ
(61)：平板部
(611)：押さえ部
(62)：曲板部
(621)：頂壁
(622)：突出壁
(63)(63a)：ねじ挿通孔
(7A)：ビス
(7B)：ビス
(72)：回動操作用摘み部
【図１】
0003137718.tif 000003
【図２】
0003137718.tif 000004
【図３】
0003137718.tif 000005
【図４】
0003137718.tif 000006